(57)【要約】【課題】有効な、かつ迅速な情報取得を実現する。【解決手段】通信装置１００−１〜１００−３から要求され、通信装置１００−１〜１００−３へ送信した表示情報を、無線基地局２００−１〜２００−３または無線基地局３００が記憶し、その後、記憶されている表示情報が通信装置１００−１〜１００−３から要求された場合、無線基地局２００−１〜２００−３または無線基地局３００が、記憶している表示情報を読み出して通信装置１００−１〜１００−３へ送信する。【選択図】図１
2012222396.tif 000002
【特許請求の範囲】
【請求項１】
車両内に設置された車内無線基地局と、前記車両の経路近傍に設置された車外無線基地局と、通信装置とから構成された通信システムにおいて、
前記通信装置は、
表示部と、
前記表示部に表示する表示情報を前記車内無線基地局から受け取る通信装置無線部と、
前記表示情報を取得するための利用者の操作を検出する操作部と、
当該通信装置が前記車両内に存在するときに、前記操作部が検出した前記操作に基づいて、前記通信装置無線部を介して前記表示情報を前記車内無線基地局から取得し、前記表示部に表示させる通信装置制御部とを有し、
前記車内無線基地局は、
情報を記憶する車内無線基地局記憶部と、
前記通信装置および前記車外無線基地局との間で無線通信を行う車内無線基地局無線部と、
前記通信装置が取得しようとする前記表示情報が前記車内無線基地局記憶部に記憶されている場合、該車内無線基地局記憶部から前記表示情報を読み出し、該読み出した表示情報を前記車内無線基地局無線部を介して前記通信装置へ送信し、前記通信装置が取得しようとする前記表示情報が前記車内無線基地局記憶部に記憶されていない場合は、前記表示情報を前記車内無線基地局無線部を介して前記車外無線基地局から取得し、該取得した表示情報を前記車内無線基地局記憶部に記憶させ、前記表示情報を前記車内無線基地局無線部を介して前記通信装置へ送信する車内無線基地局制御部とを有し、
前記車外無線基地局は、
情報を記憶する車外無線基地局記憶部と、
前記車内無線基地局および外部の通信ネットワークとの間で無線通信を行う車外無線基地局無線部と、
前記車内無線基地局が取得しようとする前記表示情報が前記車外無線基地局記憶部に記憶されている場合、該車外無線基地局記憶部から前記表示情報を読み出し、該読み出した表示情報を前記車外無線基地局無線部を介して前記車内無線基地局へ送信し、前記車内無線基地局が取得しようとする前記表示情報が前記車外無線基地局記憶部に記憶されていない場合は、前記表示情報を前記車外無線基地局無線部を介して前記通信ネットワークから取得し、該取得した表示情報を前記車外無線基地局記憶部に記憶させ、前記表示情報を前記車外無線基地局無線部を介して前記車内無線基地局へ送信する車外無線基地局制御部とを有することを特徴とする通信システム。
【請求項２】
請求項１に記載の通信システムにおいて、
前記通信装置制御部は、前記表示情報を前記車内無線基地局から取得しようとするとき、前記表示情報を要求する要求信号を前記通信装置無線部を介して前記車内無線基地局制御部へ送信し、
前記車内無線基地局制御部は、前記通信装置制御部から前記要求信号が送信されてきたとき、該要求信号に応じた前記表示情報が前記車内無線基地局記憶部に記憶されている場合、該車内無線基地局記憶部から前記表示情報を読み出して前記車内無線基地局無線部を介して前記通信装置制御部へ送信し、該要求信号に応じた前記表示情報が前記車内無線基地局記憶部に記憶されていない場合は、前記表示情報を要求する要求信号を前記車内無線基地局無線部を介して前記車外無線基地局制御部へ送信し、前記車外無線基地局制御部から送信されてきた前記表示情報を前記車内無線基地局無線部を介して前記通信装置制御部へ送信することを特徴とする通信システム。
【請求項３】
請求項２に記載の通信システムにおいて、
複数の前記車両を有する場合、前記車外無線基地局制御部は、前記車両それぞれに応じた前記表示情報を、該複数の車両それぞれに設置された複数の前記車内無線基地局それぞれへ送信することを特徴とする通信システム。
【請求項４】
請求項１乃至３のいずれか１項に記載の通信システムにおいて、
前記車内無線基地局制御部は、前記車外無線基地局との間で通信ができないときに、前記通信装置から所定の情報が送信されてきた場合、該情報を前記車内無線基地局記憶部に記憶させておき、前記車外無線基地局との間で通信ができるようになったとき、該車内無線基地局記憶部に記憶させておいた情報を前記車内無線基地局無線部を介して前記車外無線基地局へ送信することを特徴とする通信システム。
【請求項５】
請求項１乃至４のいずれか１項に記載の通信システムにおいて、
複数の前記車両を有する場合、該複数の車両それぞれに設置された複数の前記車内無線基地局は、前記車内無線基地局記憶部に記憶されている表示情報を互いに共有することを特徴とする通信システム。
【請求項６】
請求項５に記載の通信システムにおいて、
前記車内無線基地局制御部は、前記車内無線基地局記憶部に記憶されている表示情報を読み出し、前記車内無線基地局無線部を介して、他の車両に設置されている前記車内無線基地局へ送信し、前記他の車両に設置されている前記車内無線基地局から送信されてきた表示情報を前記車内無線基地局記憶部に記憶させることを特徴とする通信システム。
【請求項７】
車両内に設置された無線基地局であって、
情報を記憶する記憶部と、
前記車両内に存在する通信装置および前記車両の経路近傍に設置された車外無線基地局との間で無線通信を行う無線部と、
前記通信装置から表示情報の取得が要求されたとき、該要求された表示情報が前記記憶部に記憶されている場合、該記憶部から前記表示情報を読み出し、該読み出した表示情報を前記無線部を介して前記通信装置へ送信し、前記通信装置から要求された表示情報が前記記憶部に記憶されていない場合は、前記表示情報を前記無線部を介して前記車外無線基地局から取得し、該取得した表示情報を前記記憶部に記憶させ、前記表示情報を前記無線部を介して前記通信装置へ送信する制御部とを有する無線基地局。
【請求項８】
車両の経路近傍に設置された無線基地局であって、
情報を記憶する記憶部と、
前記車両内に設置された車内無線基地局および外部の通信ネットワークとの間で無線通信を行う無線部と、
前記車内無線基地局から表示情報の取得が要求されたとき、該要求された表示情報が前記記憶部に記憶されている場合、該記憶部から前記表示情報を読み出し、該読み出した表示情報を前記無線部を介して前記車内無線基地局へ送信し、前記車内無線基地局から要求された表示情報が前記記憶部に記憶されていない場合は、前記表示情報を前記無線部を介して前記通信ネットワークから取得し、該取得した表示情報を前記記憶部に記憶させ、前記表示情報を前記無線部を介して前記車内無線基地局へ送信する制御部とを有する無線基地局。
【請求項９】
車両内に設置された車内無線基地局と通信可能な通信装置であって、
表示部と、
前記表示部に表示する表示情報を前記車内無線基地局から受け取る無線部と、
前記表示情報を取得するための利用者の操作を検出する操作部と、
前記操作部が検出した操作に基づいて、前記表示情報を前記無線部を介して前記車内無線基地局から取得し、該取得した表示情報を前記表示部に表示させる制御部とを有する通信装置。
【請求項１０】
車両内に設置された車内無線基地局と、前記車両の経路近傍に設置された車外無線基地局と、通信装置とから構成された通信システムにおける情報送信方法であって、
前記通信装置が前記車両内に存在するときに、該通信装置が、所定の表示情報を前記車内無線基地局へ要求する処理と、
前記車内無線基地局が、前記通信装置から要求された表示情報が、当該車内無線基地局に記憶されているかどうかを判別する処理と、
前記通信装置から要求された表示情報が、前記車内無線基地局に記憶されていると判別された場合、前記車内無線基地局が、該記憶されている前記表示情報を前記通信装置へ送信する処理と、
前記通信装置から要求された表示情報が、前記車内無線基地局に記憶されていないと判別された場合、前記車内無線基地局が、前記表示情報を前記車外無線基地局へ要求する処理と、
前記車外無線基地局が、前記車内無線基地局から要求された表示情報が、当該車外無線基地局に記憶されているかどうかを判別する処理と、
前記車内無線基地局から要求された表示情報が、前記車外無線基地局に記憶されていると判別された場合、前記車外無線基地局が、該記憶されている前記表示情報を前記車内無線基地局へ送信する処理と、
前記車内無線基地局から要求された表示情報が、前記車外無線基地局に記憶されていないと判別された場合、前記車外無線基地局が、前記表示情報を外部の通信ネットワークから取得して前記車内無線基地局へ送信する処理と、
前記車外無線基地局が、前記通信ネットワークから取得した表示情報を記憶する処理と、
前記車内無線基地局が、前記車外無線基地局から送信されてきた表示情報を記憶する処理と、
前記車内無線基地局が、前記車外無線基地局から送信されてきた表示情報を前記通信装置へ送信する処理と、
前記通信装置が、前記車内無線基地局から送信されてきた表示情報を表示する処理とを行う情報送信方法。
【発明の詳細な説明】
【技術分野】
【０００１】
本発明は、情報を送信する通信システム、無線基地局、通信装置および情報送信方法に関する。
【背景技術】
【０００２】
近年、携帯端末等の通信端末を用いて、通信ネットワークから様々な情報を得ることができる。
【０００３】
例えば、電車に乗っている利用者が、駅の改札の案内情報、どの出口が目的地に一番近いか等の駅周辺の情報、目的地までの所要時間の情報、電車の遅延情報等を、通信端末を操作することで得ることができる。
【０００４】
さらに、駅等の車外に設けられた車外装置へ、所定のサーバから所定の情報が送信され、当該情報が車外装置から電車等の車内に設けられた車内装置へ送信され、当該情報が車内装置から車内に存在する通信装置へ配信される技術が考えられている（例えば、特許文献１，２参照。）。
【０００５】
また、特許文献２においては、乗車率や路線情報、遅延時間、他の路線情報等を配信する技術が開示されている。
【先行技術文献】
【特許文献】
【０００６】
【特許文献１】特開２００６−５４５５８号公報
【特許文献２】特開２００９−３７６０９号公報
【発明の概要】
【発明が解決しようとする課題】
【０００７】
しかしながら、特許文献１，２に記載されたような技術においては、利用者が望む情報が必ずしも配信されるとは限らない。そのため、配信されない情報であって利用者が欲しい情報については、利用者が通信端末を操作して、外部の通信ネットワークから当該情報を取得する必要がある。
【０００８】
この場合、例えば、利用者が乗っている電車が、トンネルや地下鉄の駅間等の電波の届かないところを走行している間は、通信端末が通信できず、所望の情報を取得することができない。そのため、情報の取得に時間がかかってしまうという問題点がある。
【０００９】
本発明の目的は、上述した課題を解決する通信システム、無線基地局、通信装置および情報送信方法を提供することである。
【課題を解決するための手段】
【００１０】
本発明の通信システムは、
車両内に設置された車内無線基地局と、前記車両の経路近傍に設置された車外無線基地局と、通信装置とから構成された通信システムであって、
前記通信装置は、
表示部と、
前記表示部に表示する表示情報を前記車内無線基地局から受け取る通信装置無線部と、
前記表示情報を取得するための利用者の操作を検出する操作部と、
当該通信装置が前記車両内に存在するときに、前記操作部が検出した前記操作に基づいて、前記通信装置無線部を介して前記表示情報を前記車内無線基地局から取得し、前記表示部に表示させる通信装置制御部とを有し、
前記車内無線基地局は、
情報を記憶する車内無線基地局記憶部と、
前記通信装置および前記車外無線基地局との間で無線通信を行う車内無線基地局無線部と、
前記通信装置が取得しようとする前記表示情報が前記車内無線基地局記憶部に記憶されている場合、該車内無線基地局記憶部から前記表示情報を読み出し、該読み出した表示情報を前記車内無線基地局無線部を介して前記通信装置へ送信し、前記通信装置が取得しようとする前記表示情報が前記車内無線基地局記憶部に記憶されていない場合は、前記表示情報を前記車内無線基地局無線部を介して前記車外無線基地局から取得し、該取得した表示情報を前記車内無線基地局記憶部に記憶させ、前記表示情報を前記車内無線基地局無線部を介して前記通信装置へ送信する車内無線基地局制御部とを有し、
前記車外無線基地局は、
情報を記憶する車外無線基地局記憶部と、
前記車内無線基地局および外部の通信ネットワークとの間で無線通信を行う車外無線基地局無線部と、
前記車内無線基地局が取得しようとする前記表示情報が前記車外無線基地局記憶部に記憶されている場合、該車外無線基地局記憶部から前記表示情報を読み出し、該読み出した表示情報を前記車外無線基地局無線部を介して前記車内無線基地局へ送信し、前記車内無線基地局が取得しようとする前記表示情報が前記車外無線基地局記憶部に記憶されていない場合は、前記表示情報を前記車外無線基地局無線部を介して前記通信ネットワークから取得し、該取得した表示情報を前記車外無線基地局記憶部に記憶させ、前記表示情報を前記車外無線基地局無線部を介して前記車内無線基地局へ送信する車外無線基地局制御部とを有することを特徴とする。
【００１１】
また、本発明の無線基地局は、
車両内に設置された無線基地局であって、
情報を記憶する記憶部と、
前記車両内に存在する通信装置および前記車両の経路近傍に設置された車外無線基地局との間で無線通信を行う無線部と、
前記通信装置から表示情報の取得が要求されたとき、該要求された表示情報が前記記憶部に記憶されている場合、該記憶部から前記表示情報を読み出し、該読み出した表示情報を前記無線部を介して前記通信装置へ送信し、前記通信装置から要求された表示情報が前記記憶部に記憶されていない場合は、前記表示情報を前記無線部を介して前記車外無線基地局から取得し、該取得した表示情報を前記記憶部に記憶させ、前記表示情報を前記無線部を介して前記通信装置へ送信する制御部とを有する。
【００１２】
また、車両の経路近傍に設置された無線基地局であって、
情報を記憶する記憶部と、
前記車両内に設置された車内無線基地局および外部の通信ネットワークとの間で無線通信を行う無線部と、
前記車内無線基地局から表示情報の取得が要求されたとき、該要求された表示情報が前記記憶部に記憶されている場合、該記憶部から前記表示情報を読み出し、該読み出した表示情報を前記無線部を介して前記車内無線基地局へ送信し、前記車内無線基地局から要求された表示情報が前記記憶部に記憶されていない場合は、前記表示情報を前記無線部を介して前記通信ネットワークから取得し、該取得した表示情報を前記記憶部に記憶させ、前記表示情報を前記無線部を介して前記車内無線基地局へ送信する制御部とを有する。
【００１３】
また、本発明の通信装置は、
車両内に設置された車内無線基地局と通信可能な通信装置であって、
表示部と、
前記表示部に表示する表示情報を前記車内無線基地局から受け取る無線部と、
前記表示情報を取得するための利用者の操作を検出する操作部と、
前記操作部が検出した操作に基づいて、前記表示情報を前記無線部を介して前記車内無線基地局から取得し、該取得した表示情報を前記表示部に表示させる制御部とを有する。
【００１４】
また、本発明の情報送信方法は、
車両内に設置された車内無線基地局と、前記車両の経路近傍に設置された車外無線基地局と、通信装置とから構成された通信システムにおける情報送信方法であって、
前記通信装置が前記車両内に存在するときに、該通信装置が、所定の表示情報を前記車内無線基地局へ要求する処理と、
前記車内無線基地局が、前記通信装置から要求された表示情報が、当該車内無線基地局に記憶されているかどうかを判別する処理と、
前記通信装置から要求された表示情報が、前記車内無線基地局に記憶されていると判別された場合、前記車内無線基地局が、該記憶されている前記表示情報を前記通信装置へ送信する処理と、
前記通信装置から要求された表示情報が、前記車内無線基地局に記憶されていないと判別された場合、前記車内無線基地局が、前記表示情報を前記車外無線基地局へ要求する処理と、
前記車外無線基地局が、前記車内無線基地局から要求された表示情報が、当該車外無線基地局に記憶されているかどうかを判別する処理と、
前記車内無線基地局から要求された表示情報が、前記車外無線基地局に記憶されていると判別された場合、前記車外無線基地局が、該記憶されている前記表示情報を前記車内無線基地局へ送信する処理と、
前記車内無線基地局から要求された表示情報が、前記車外無線基地局に記憶されていないと判別された場合、前記車外無線基地局が、前記表示情報を外部の通信ネットワークから取得して前記車内無線基地局へ送信する処理と、
前記車外無線基地局が、前記通信ネットワークから取得した表示情報を記憶する処理と、
前記車内無線基地局が、前記車外無線基地局から送信されてきた表示情報を記憶する処理と、
前記車内無線基地局が、前記車外無線基地局から送信されてきた表示情報を前記通信装置へ送信する処理と、
前記通信装置が、前記車内無線基地局から送信されてきた表示情報を表示する処理とを行う。
【発明の効果】
【００１５】
以上説明したように、本発明においては、有効な、かつ迅速な情報取得を実現することができる。
【図面の簡単な説明】
【００１６】
【図１】本発明の通信システムの実施の一形態を示す図である。
【図２】図１に示した通信装置の内部構成の一例を示す図である。
【図３】図１に示した車両に設置された無線基地局の内部構成の一例を示す図である。
【図４】図１に示した駅に設置された無線基地局の内部構成の一例を示す図である。
【図５】図１に示した形態における情報送信方法の第１の例を説明するためのシーケンス図である。
【図６】図１に示した形態における情報送信方法の第２の例を説明するためのシーケンス図である。
【図７】図１に示した形態における情報送信方法の第３の例を説明するためのシーケンス図である。
【図８】図１に示した形態を用いて、通信装置が電子メールを送信する際の処理を説明するためのシーケンス図である。。
【図９】図１に示した形態における情報送信方法の第４の例を説明するためのシーケンス図である。
【発明を実施するための形態】
【００１７】
以下に、本形態の実施の形態について図面を参照して説明する。
【００１８】
図１は、本発明の通信システムの実施の一形態を示す図である。
【００１９】
本形態は図１に示すように、通信装置１００−１〜１００−３と、無線基地局２００−１〜２００−３（車内無線基地局）と、無線基地局３００（車外無線基地局）と、ネットワーク６００とから構成されている。図１においては、通信装置１００−１〜１００−３および無線基地局２００−１〜２００−３がそれぞれ３つである場合を例に挙げて示しているが、２つ以下であっても良いし、４つ以上であっても良い。なお、通信装置の数と車内無線基地局である無線基地局の数とが異なるものであっても良いことは言うまでもない。例えば、車両４００−１に通信装置が３つ存在しても良い。
【００２０】
通信装置１００−１〜１００−３は、車両４００−１〜４００−３の中に存在する場合、無線基地局２００−１〜２００−３との間でそれぞれ無線通信が可能な装置である。例えば、図１に示すように、車両４００−１内に存在する通信装置１００−１は、無線基地局２００−１との間で無線通信が可能である。また、車両４００−２内に存在する通信装置１００−２は、無線基地局２００−２との間で無線通信が可能である。また、車両４００−３内に存在する通信装置１００−３は、無線基地局２００−３との間で無線通信が可能である。なお、通信装置１００−１〜１００−３は、携帯電話機等の携帯端末や無線通信機のほか、移動可能なノート型やタブレット型のＰＣ（Ｐｅｒｓｏｎａｌ  Ｃｏｍｐｕｔｅｒ）、パーソナルナビゲータやゲーム機等であっても良い。
【００２１】
図２は、図１に示した通信装置１００−１の内部構成の一例を示す図である。また、図２には、図１に示した通信装置１００−１が具備する構成要素のうち、本発明に関わる構成要素のみを示した。なお、通信装置１００−２〜１００−３の内部構造は、通信装置１００−１と同様の動作をするものであれば良く、限定しない。
【００２２】
図１に示した通信装置１００−１には図２に示すように、表示部１１０と、無線部１２０と、操作部１３０と、制御部１４０とが設けられている。
【００２３】
表示部１１０は、制御部１４０からの指示に基づいて表示情報を表示する。なお、表示部１１０は、一般的な液晶等から構成されたディスプレイであっても良い。
【００２４】
無線部１２０（通信装置無線部）は、通信装置１００−１が存在する車両４００−１〜４００−３に設置されている無線基地局２００−１〜２００−３との間で無線通信を行う。図１に示した形態では、無線部１２０は、無線基地局２００−１との間で無線通信を行う。また、無線部１２０は、アンテナおよび有線信号−無線信号変換機能から構成され、制御部１４０から出力されてきた信号（情報）を無線基地局２００−１へ送信し、無線基地局２００−１から送信されてきた信号（情報）を制御部１４０へ出力する。
【００２５】
操作部１３０は、無線基地局２００−１から、所定の表示情報を取得するために利用者によって操作される。そして、操作部１３０は、その操作を検出する。例えば、操作部１３０は、キーボードであっても良いし、ボタンキーやタッチパネル（この場合、表示部１１０に含まれる）であっても良く、外部から情報を入力するためのものである。
【００２６】
制御部１４０（通信装置制御部）は、通信装置１００−１が車両４００−１内に存在するときに、利用者の操作部１３０が検出した操作に基づいて、表示情報を無線部１２０を介して無線基地局２００−１から取得する。また、制御部１４０は、無線基地局２００−１から取得した表示情報を表示部１１０に表示させる。このとき、制御部１４０は、表示情報を要求するための要求信号を無線部１２０を介して無線基地局２００−１へ送信し、当該要求信号に対して無線基地局２００−１から送信されてきた表示情報を表示部１１０に表示させる。なお、この要求信号には、表示情報を取得するために入力された情報（例えば、検索キーワード等、以下、取得キーワードと称する）が含まれる。
【００２７】
ここで、表示情報および取得キーワードについて、説明する。
【００２８】
表示情報とは、あるサイトからネットワーク６００を介して配信される情報であり、表示部１１０に表示可能な情報である。例えば、駅周辺の地図情報や、電車の運行情報、行き先までの所要時間情報等である。
【００２９】
また、取得キーワードとは、表示情報を取得するためのキーワードである。例えば、駅周辺の地図情報を取得したい場合の取得キーワードは、具体的な駅名や地名であっても良いし、電車の運行情報を取得したい場合の取得キーワードは、鉄道会社名および路線名であっても良い。取得キーワードは、一般的に、見たい情報を取得するときに、そのために検索サイトで入力するキーワードと同様なものである。
【００３０】
また、無線基地局２００−１〜２００−３は、車両４００−１〜４００−３の中にそれぞれ設置された無線通信装置である。
【００３１】
図３は、図１に示した無線基地局２００−１の内部構成の一例を示す図である。また、図３には、図１に示した無線基地局２００−１が具備する構成要素のうち、本発明に関わる構成要素のみを示した。なお、無線基地局２００−２〜２００−３の内部構造は、無線基地局２００−１と同様の動作をするものであれば良く、限定しない。
【００３２】
図１に示した無線基地局２００−１には図３に示すように、記憶部２１０と、無線部２２０と、制御部２３０とが設けられている。
【００３３】
記憶部２１０（車内無線基地局記憶部）は、情報を記憶する。記憶部２１０がどのような情報を記憶するかについては、後述する。
【００３４】
無線部２２０（車内無線基地局無線部）は、車両４００−１に存在する通信装置１００−１との間で無線通信を行う。また、無線部２２０は、無線基地局３００との間で無線通信を行う。また、無線部２２０は、アンテナおよび有線信号−無線信号変換機能から構成され、制御部２３０から出力されてきた信号（情報）を通信装置１００−１または無線基地局３００へ送信し、通信装置１００−１または無線基地局３００から送信されてきた信号（情報）を制御部２３０へ出力する。
【００３５】
制御部２３０（車内無線基地局制御部）は、通信装置１００−１が取得しようとする表示情報が記憶部２１０に記憶されているかどうかを判別する。この判別方法は、通信装置１００−１から要求信号が送信されてきた場合、当該要求信号に含まれる取得キーワードが記憶部２１０に記憶されているかどうかに基づいて判別するものである。通信装置１００−１から送信されてきた要求信号に含まれる取得キーワードが記憶部２１０に記憶されている場合、制御部２３０は、通信装置１００−１が取得しようとする表示情報が記憶部２１０に記憶されていると判別する。一方、通信装置１００−１から送信されてきた要求信号に含まれる取得キーワードが記憶部２１０に記憶されていない場合、制御部２３０は、通信装置１００−１が取得しようとする表示情報が記憶部２１０に記憶されていないと判別する。
【００３６】
また、制御部２３０は、通信装置１００−１が取得しようとする表示情報が記憶部２１０に記憶されていると判別した場合、当該表示情報を記憶部２１０から読み出し、読み出した表示情報を無線部２２０を介して通信装置１００−１へ送信する。
【００３７】
また、制御部２３０は、通信装置１００−１が取得しようとする表示情報が記憶部２１０に記憶されていないと判別した場合、その表示情報を無線部２２０を介して無線基地局３００から取得する。このとき、制御部２３０は、表示情報を要求する要求信号を無線部２２０を介して無線基地局３００へ送信し、当該要求信号に対して無線基地局３００から送信されてきた表示情報を受信することで、当該表示情報を無線基地局３００から取得する。また、制御部２３０は、無線基地局３００から取得した表示情報を記憶部２１０に記憶させる（書き込む）。このとき、表示情報の取得の基となった要求信号に含まれる取得キーワードを、当該表示情報と対応付けて記憶部２１０に記憶させる。また、制御部２３０は、無線基地局３００から取得した表示情報を無線部２２０を介して通信装置１００−１へ送信する。
【００３８】
また、制御部２３０は、無線基地局３００との間で通信ができないときに、通信装置１００−１から所定の情報が送信されてきた場合、その情報を記憶部２１０に記憶させておき、無線基地局３００との間で通信ができるようになったとき、記憶部２１０に記憶させておいた情報を無線部２２０を介して無線基地局３００へ送信する。例えば、制御部２３０は、上述した要求信号を無線基地局３００へ送信しようとしたとき、無線基地局３００との間で通信ができないと、当該要求信号を記憶部２１０に記憶させておき、無線基地局３００との通信ができるようになってから、当該要求信号を記憶部２１０から読み出して、無線部２２０を介して無線基地局３００へ送信する。
【００３９】
また、無線基地局３００は、駅５００等の車両４００−１〜４００−３が通る経路近傍に設置された無線通信装置である。
【００４０】
図４は、図１に示した無線基地局３００の内部構成の一例を示す図である。また、図４には、図１に示した無線基地局３００が具備する構成要素のうち、本発明に関わる構成要素のみを示した。
【００４１】
図１に示した無線基地局３００には図４に示すように、記憶部３１０と、無線部３２０と、制御部３３０とが設けられている。
【００４２】
記憶部３１０（車外無線基地局記憶部）は、情報を記憶する。記憶部３１０がどのような情報を記憶するかについては、後述する。
【００４３】
無線部３２０（車外無線基地局無線部）は、無線基地局２００−１〜２００−３との間で無線通信を行う。また、無線部３２０は、外部の通信ネットワークであるネットワーク６００との間で無線通信を行う。また、無線部３２０は、アンテナおよび有線信号−無線信号変換機能から構成され、制御部３３０から出力されてきた信号（情報）を無線基地局２００−１〜２００−３またはネットワーク６００へ送信し、無線基地局２００−１〜２００−３またはネットワーク６００から送信されてきた信号（情報）を制御部３３０へ出力する。
【００４４】
なお、無線基地局３００とネットワーク６００との間が有線で接続されているものであっても良い。その場合、無線部３２０は、無線基地局２００−１〜２００−３との通信に用いられ、無線基地局３００には、ネットワーク６００との間で通信を行う通信部が設けられる。
【００４５】
制御部３３０（車外無線基地局制御部）は、無線基地局２００−１〜２００−３が取得しようとする表示情報が記憶部３１０に記憶されているかどうかを判別する。この判別方法は、無線基地局２００−１〜２００−３から要求信号が送信されてきた場合、当該要求信号に含まれる取得キーワードが記憶部３１０に記憶されているかどうかに基づいて判別するものである。無線基地局２００−１〜２００−３から送信されてきた要求信号に含まれる取得キーワードが記憶部３１０に記憶されている場合、制御部３３０は、無線基地局２００−１〜２００−３が取得しようとする表示情報が記憶部３１０に記憶されていると判別する。一方、無線基地局２００−１〜２００−３から送信されてきた要求信号に含まれる取得キーワードが記憶部３１０に記憶されていない場合、制御部３３０は、無線基地局２００−１〜２００−３が取得しようとする表示情報が記憶部３１０に記憶されていないと判別する。
【００４６】
また、制御部３３０は、無線基地局２００−１〜２００−３が取得しようとする表示情報が記憶部３１０に記憶されていると判別した場合、当該表示情報を記憶部３１０から読み出し、読み出した表示情報を無線部３２０を介して、当該表示情報を要求してきた無線基地局２００−１〜２００−３へ送信する。
【００４７】
また、制御部３３０は、無線基地局２００−１〜２００−３が取得しようとする表示情報が記憶部３１０に記憶されていないと判別した場合、その表示情報を無線部３２０を介してネットワーク６００から取得する。このとき、制御部３３０は、表示情報を要求する要求信号を無線部３２０を介してネットワーク６００へ送信し、当該要求信号に対してネットワーク６００から送信されてきた表示情報を受信することで、当該表示情報をネットワーク６００から取得する。また、制御部３３０は、ネットワーク６００から取得した表示情報を記憶部３１０に記憶させる（書き込む）。このとき、表示情報の取得の基となった要求信号に含まれる取得キーワードを、当該表示情報と対応付けて記憶部３１０に記憶させる。また、制御部３３０は、ネットワーク６００から取得した表示情報を無線部３２０を介して、当該表示情報を要求してきた無線基地局２００−１〜２００−３へ送信する。このとき、制御部３３０は、当該表示情報の基となった取得キーワードを送信しても良い。
【００４８】
また、車両４００−１〜４００−３は、電車やバス等の車両である。
【００４９】
駅５００は、車両４００−１〜４００−３から構成される電車の駅であっても良いし、バスの停留所であっても良い。
【００５０】
ネットワーク６００は、携帯電話網等の通信ネットワークである。
【００５１】
以下に、図１に示した形態における情報送信方法について説明する。ここでは、車両４００−１内に存在する通信装置１００−１から、表示情報が要求された場合を例に挙げて説明する。
【００５２】
図５は、図１に示した形態における情報送信方法の第１の例を説明するためのシーケンス図である。第１の例では、通信装置１００−１が要求してきた表示情報が、無線基地局２００−１の記憶部２１０にも、無線基地局３００の記憶部３１０にも記憶されていない場合の処理である。
【００５３】
まず、通信装置１００−１の利用者が操作部１３０を操作することにより、表示情報を要求する要求信号が制御部１４０から無線部１２０を介して無線基地局２００−１へ送信されると（ステップＳ１）、要求信号に含まれる取得キーワードに応じた表示情報が無線基地局２００−１の記憶部２１０に記憶されているかどうかが、制御部２３０にて判別される（ステップＳ２）。ここで、後述するように、記憶部２１０には、表示情報と、その表示情報を取得するための要求信号に含まれる取得キーワードとが対応付けて記憶されている。そのため、実際には、要求信号に含まれる取得キーワードが記憶部２１０に記憶されているかどうかが制御部２３０にて判別されることで、要求信号に含まれる取得キーワードに応じた表示情報が無線基地局２００−１の記憶部２１０に記憶されているかどうかが判別される。
【００５４】
本例では、通信装置１００−１が要求する表示情報が記憶部２１０に記憶されていない場合であるため、制御部２３０から無線部２２０を介して、要求信号が無線基地局３００へ送信される（ステップＳ３）。
【００５５】
すると、要求信号に含まれる取得キーワードに応じた表示情報が無線基地局３００の記憶部３１０に記憶されているかどうかが、制御部３３０にて判別される（ステップＳ４）。この判別処理は、ステップＳ２の処理と同じである。
【００５６】
本例では、通信装置１００−１が要求する表示情報が記憶部３１０に記憶されていない場合であるため、制御部３３０から無線部３２０を介して、要求信号がネットワーク６００へ送信される（ステップＳ５）。
【００５７】
送信された要求信号に対して表示情報がネットワーク６００から無線基地局３００へ送信されてくると（ステップＳ６）、送信されてきた表示情報と、その表示情報の基となった取得キーワードとが、制御部３３０にて記憶部３１０に書き込まれる（ステップＳ７）。ここで、ステップＳ５にて要求信号が制御部３３０からネットワーク６００へ送信される際に、要求信号に含まれる取得キーワードを制御部３３０が記憶部３１０に書き込んでおき、当該要求信号に対して表示情報がネットワーク６００から送信されてきたときに、当該表示情報を記憶部３１０に書き込んでおいた取得キーワードと対応付けて制御部３３０が記憶部３１０に書き込むものであっても良い。
【００５８】
また、ネットワーク６００から送信されてきた表示情報が、制御部３３０から無線部３２０を介して無線基地局２００−１へ送信される（ステップＳ８）。
【００５９】
表示情報が無線基地局３００から無線基地局２００−１へ送信されてくると、送信されてきた表示情報と、その表示情報の基となった取得キーワードとが、制御部２３０にて記憶部２１０に書き込まれる（ステップＳ９）。この記憶部２１０への表示情報と取得キーワードとの書き込み処理については、ステップＳ７の処理と同じである。
【００６０】
また、無線基地局３００から送信されてきた表示情報が、制御部２３０から無線部２２０を介して通信装置１００−１へ送信される（ステップＳ１０）。
【００６１】
すると、無線基地局２００−１から送信されてきた表示情報が、表示部１１０に表示される（ステップＳ１１）。
【００６２】
図６は、図１に示した形態における情報送信方法の第２の例を説明するためのシーケンス図である。第２の例では、通信装置１００−１が要求してきた表示情報が、無線基地局２００−１の記憶部２１０に記憶されておらず、無線基地局３００の記憶部３１０に記憶されている場合の処理である。
【００６３】
まず、通信装置１００−１の利用者が操作部１３０を操作することにより、表示情報を要求する要求信号が制御部１４０から無線部１２０を介して無線基地局２００−１へ送信されると（ステップＳ２１）、要求信号に含まれる取得キーワードに応じた表示情報が無線基地局２００−１の記憶部２１０に記憶されているかどうかが、制御部２３０にて判別される（ステップＳ２２）。この判別処理は、ステップＳ２の処理と同じである。
【００６４】
本例では、通信装置１００−１が要求する表示情報が記憶部２１０に記憶されていない場合であるため、制御部２３０から無線部２２０を介して、要求信号が無線基地局３００へ送信される（ステップＳ２３）。
【００６５】
すると、要求信号に含まれる取得キーワードに応じた表示情報が無線基地局３００の記憶部３１０に記憶されているかどうかが、制御部３３０にて判別される（ステップＳ２４）。この判別処理は、ステップＳ４の処理と同じである。
【００６６】
本例では、通信装置１００−１が要求する表示情報が記憶部３１０に記憶されている場合であるため、要求信号に含まれる取得キーワードと対応付けられた表示情報が制御部３３０にて記憶部３１０から読み出される（ステップＳ２５）。
【００６７】
すると、記憶部３１０から読み出された表示情報が、制御部３３０から無線部３２０を介して無線基地局２００−１へ送信される（ステップＳ２６）。
【００６８】
無線基地局３００から表示情報が送信されてくると、送信されてきた表示情報と、その表示情報の基となった取得キーワードとが、制御部２３０にて記憶部２１０に書き込まれる（ステップＳ２７）。この記憶部２１０への表示情報と取得キーワードとの書き込み処理については、ステップＳ９の処理と同じである。
【００６９】
また、無線基地局３００から送信されてきた表示情報が、制御部２３０から無線部２２０を介して通信装置１００−１へ送信される（ステップＳ２８）。
【００７０】
すると、無線基地局２００−１から送信されてきた表示情報が、表示部１１０に表示される（ステップＳ２９）。
【００７１】
図７は、図１に示した形態における情報送信方法の第３の例を説明するためのシーケンス図である。第３の例では、通信装置１００−１が要求してきた表示情報が、無線基地局２００−１の記憶部２１０に記憶されている場合の処理である。
【００７２】
まず、通信装置１００−１の利用者が操作部１３０を操作することにより、表示情報を要求する要求信号が制御部１４０から無線部１２０を介して無線基地局２００−１へ送信されると（ステップＳ３１）、要求信号に含まれる取得キーワードに応じた表示情報が無線基地局２００−１の記憶部２１０に記憶されているかどうかが、制御部２３０にて判別される（ステップＳ３２）。この判別処理は、ステップＳ２の処理と同じである。
【００７３】
本例では、通信装置１００−１が要求する表示情報が記憶部２１０に記憶されている場合であるため、要求信号に含まれる取得キーワードと対応付けられた表示情報が制御部２３０にて記憶部２１０から読み出される（ステップＳ３３）。
【００７４】
すると、記憶部２１０から読み出された表示情報が、制御部２３０から無線部２２０を介して通信装置１００−１へ送信される（ステップＳ３４）。
【００７５】
すると、無線基地局２００−１から送信されてきた表示情報が、表示部１１０に表示される（ステップＳ３５）。
【００７６】
このように、一度、通信装置１００−１から問い合わせ等の要求があった情報が、無線基地局２００−１内の記憶部２１０に記憶されているため、次に通信装置１００−２〜１００−３から同じ問い合わせ要求があった場合であっても、通信装置１００−２〜１００−３からネットワーク６００へ問い合わせを行うことなく、通信装置１００−２〜１００−３が当該情報を取得することができる。
【００７７】
また、上述した形態を用いれば、電子メールを送信する際に、以下の処理を行うことができる。具体的には、制御部２３０が、通信装置１００−１から送信された電子メールを無線基地局３００へ送信しようとしたとき、無線基地局３００との間で通信ができないと、当該送信メールの内容を記憶部２１０に記憶させておき、無線基地局３００との通信ができるようになってから、当該送信メールの内容を記憶部２１０から読み出して、無線部２２０を介して無線基地局３００へ送信する。ここで、無線基地局２００−１と無線基地局３００とが通信できない場合としては、車両４００−１がトンネル内や地下鉄の線路を走行中等、通信圏外にいる場合が考えられる。
【００７８】
図８は、図１に示した形態を用いて、通信装置が電子メールを送信する際の処理を説明するためのシーケンス図である。ここでは、電子メールを通信装置１００−１からネットワーク６００を介して他の通信装置へ送信する場合の処理である。
【００７９】
まず、通信装置１００−１が通信圏外に存在している等の原因で、通信装置１００−１からネットワーク６００への電子メールの送信が失敗した場合（ステップＳ４１）、当該電子メールのメール情報が通信装置１００−１から無線基地局２００−１へ送信される（ステップＳ４２）。このメール情報には、当該電子メールの送信に必要な宛先情報や発信元情報、題名（件名）やメール本文等が含まれている。
【００８０】
通信装置１００−１からメール情報が送信されてくると、当該メール情報は無線基地局２００−１の記憶部２１０に記憶される（ステップＳ４３）。
【００８１】
その後、無線基地局２００−１と無線基地局３００との間で通信が可能になったとき、無線基地局２００−１の制御部２３０にて、当該メール情報が記憶部２１０から読み出されて無線部２２０を介して無線基地局３００へ送信される（ステップＳ４４）。
【００８２】
すると、当該メール情報が、無線基地局３００からネットワーク６００へ送信される（ステップＳ４５）。つまり、無線基地局３００からネットワーク６００へ、当該電子メールが送信される。
【００８３】
無線基地局３００からネットワーク６００へメール情報が送信されると、無線基地局３００から無線基地局２００−１へ当該電子メールの送信が完了した旨を示すメール送信完了通知が送信される（ステップＳ４６）。そして、無線基地局２００−１から通信装置１０−１へメール送信完了通知が送信される（ステップＳ４７）。
【００８４】
このように、図１に示した形態を用いれば、通信装置１００−１が通信圏外に存在すること等により、電子メールの送信に失敗した場合であっても、利用者が通信装置１００−１を再度操作することなく、当該電子メールを送信することができる。
【００８５】
また、制御部２３０は、他の車両４００−２〜４００−３にそれぞれ設置された無線基地局２００−２〜２００−３との間で通信を行い、記憶部２１０の内容を無線基地局２００−２〜２００−３に設けられた記憶部の内容と一致させることで、表示情報を共有するものであっても良い。具体的には、制御部２３０は、記憶部２１０に記憶されている情報を読み出し、無線部２２０を介して無線基地局２００−２〜２００−３へ送信する。また、制御部２３０は、無線基地局２００−２〜２００−３から送信されてきた表示情報を記憶部２１０に記憶させる。
【００８６】
図９は、図１に示した形態における情報送信方法の第４の例を説明するためのシーケンス図である。第４の例では、無線基地局２００−１〜２００−３が記憶している情報を共有する場合の処理である。この処理を行うタイミングは、特に規定せず、任意である。
【００８７】
無線基地局２００−１の制御部２３０にて記憶部２１０から表示情報および取得キーワードが読み出され（ステップＳ５１）、読み出された表示情報および取得キーワードが制御部２３０から無線部２２０を介して無線基地局２００−２へ送信されると（ステップＳ５２）、無線基地局２００−２にて、送信されてきた表示情報および取得キーワードを無線基地局２００−２の記憶部に追加して記憶する必要があるかどうかが、無線基地局２００−２の制御部にて判別される（ステップＳ５３）。この判別方法は、送信されてきた表示情報および取得キーワードが、無線基地局２００−２の記憶部に記憶されていない場合、制御部が、当該表示情報および取得キーワードを追加して記憶する必要があると判別するものである。
【００８８】
無線基地局２００−１から送信されてきた表示情報および取得キーワードを無線基地局２００−２の記憶部に追加して記憶する必要があると制御部にて判別された場合、当該表示情報および取得キーワードが無線基地局２００−２の記憶部に追加して記憶される（ステップＳ５４）。
【００８９】
同様に、無線基地局２００−１の制御部２３０にて記憶部２１０から読み出された表示情報および取得キーワードが制御部２３０から無線部２２０を介して無線基地局２００−３へ送信されると（ステップＳ５５）、無線基地局２００−３にて、送信されてきた表示情報および取得キーワードを無線基地局２００−３の記憶部に追加して記憶する必要があるかどうかが、無線基地局２００−３の制御部にて判別される（ステップＳ５６）。この判別方法は、ステップＳ５３と同じである。
【００９０】
無線基地局２００−１から送信されてきた表示情報および取得キーワードを無線基地局２００−３の記憶部に追加して記憶する必要があると制御部にて判別された場合、当該表示情報および取得キーワードが無線基地局２００−３の記憶部に追加して記憶される（ステップＳ５７）。
【００９１】
なお、上述した処理は、無線基地局２００−１〜２００−３の互いの間で行われるものであっても良い。
【００９２】
このように、無線基地局２００−１〜２００−３が記憶している表示情報および取得キーワードを同じものとすることにより、一度、通信装置１００−１〜１００−３から問い合わせ等の要求があった情報について、同じ問い合わせ要求があった場合、通信装置１００−１〜１００−３からネットワーク６００へ問い合わせを行うことなく、通信装置１００−１〜１００−３が当該情報を取得することができる。
【００９３】
また、無線基地局３００から、無線基地局２００−１〜２００−３それぞれに応じた情報を個別に配信するものであっても良い。これは、例えば、車両４００−１と車両４００−２とが互いに異なる行き先である場合、その行き先に応じた情報を個別に送信する。
【００９４】
また、記憶部に記憶されている情報を、後続の列車を構成する車両に設置された無線基地局へ送信するものであっても良い。これにより、例えば、前の列車が何らかの理由で遅延が発生した場合は、列車通信を使用して後続列車に通知することでタイムリーに情報を伝えることができる。
【００９５】
また、通信装置１００−１〜１００−３からの要求に対してネットワーク６００から送信される情報が、通信装置１００−１〜１００−３以外の、あらかじめ登録された宛先へ送信されるものであっても良い。例えば、列車の運行状況に基づいて、列車の遅延を示す電子メールを登録先（会社等）に自動送信することができる。
【００９６】
なお、電波が悪影響を及ぼす心臓ペースメーカ等を考慮して、一部アンテナを設置しない車両をつくってもよい。
【符号の説明】
【００９７】
１００−１〜１００−３    通信装置
１１０    表示部
１２０，２２０，３２０    無線部
１３０    操作部
１４０，２３０，３３０    制御部
２００−１〜２００−３，３００    無線基地局
２１０，３１０    記憶部
４００−１〜４００−３    車両
５００    駅
６００    ネットワーク
【図１】
2012222396.tif 000003
【図２】
2012222396.tif 000004
【図３】
2012222396.tif 000005
【図４】
2012222396.tif 000006
【図５】
2012222396.tif 000007
【図６】
2012222396.tif 000008
【図７】
2012222396.tif 000009
【図８】
2012222396.tif 000010
【図９】
2012222396.tif 000011